(57)【要約】【課題】搬送箱の施錠忘れを防止し、搬送物の搬送に関する危険性を軽減する。【解決手段】開口部を有し、搬送物を収納可能な収納部２４と、収納部２４の開口部を閉じる蓋部２３と、蓋部２３に着脱可能に設けられるリジェクト付取手部２１と、を備え、蓋部２３は、第１方向に移動可能なロックボルトと、リジェクト付取手部２１が収容される取付穴６８と、を備え、収納部２４は、第１方向に移動したロックボルトが貫通する貫通孔を備え、リジェクト付取手部２１は、ロックボルトが第１方向に移動することにより蓋部２３の内部に形成される挿入孔２６に挿入されるラチェット部と、を備え、ロックボルトは、貫通孔に貫通することで、搬送箱を施錠し、リジェクト付取手部２１は、取付穴６８に収容され、搬送箱が施錠された場合に、ラチェット部が挿入孔２６に挿入されることで、蓋部２３に装着される。【選択図】図１
2010236336.tif 000002
【特許請求の範囲】
【請求項１】
搬送物を収納して搬送する搬送箱において、
開口部を有し、搬送物を収納可能な収納部と、
前記収納部の前記開口部を閉じる蓋部と、
前記蓋部に着脱可能に設けられる取手部と、を備え、
前記蓋部は、
第１方向に移動可能な可動部材と、
前記取手部が収容される取手取付部と、を備え、
前記収納部は、
前記第１方向に移動した前記可動部材が貫通する貫通孔を備え、
前記取手部は、
前記可動部材が前記第１方向に移動することにより前記蓋部の内部に形成される孔部に挿入される突起部と、を備え、
前記可動部材は、前記貫通孔に貫通することで、前記搬送箱を施錠し、
前記取手部は、前記取手取付部に収容され、前記搬送箱が施錠された場合に、前記突起部が前記孔部に挿入されることで、前記蓋部に装着されることを特徴とする搬送箱。
【請求項２】
前記可動部材は、前記第１方向と反対方向である第２方向に移動可能であって、第１ラック機構が設けられており、
前記蓋部は、
第３方向にのみ回転可能な回転部と、
前記第１ラック機構に係合して設けられ、前記回転部の回転に連動して前記第３方向に回転可能な第１ピニオン部をさらに備え、
前記取手部は、前記突起部が前記孔部から引き抜かれてから、前記取手取付部から取り出されることで、前記蓋部から取り外され、
前記可動部材は、前記回転部が前記第３方向に回転され、該回転に連動して前記第１ピニオン部が前記第３方向に回転した場合、前記第１ピニオン部に係合された前記第１ラック機構を介して前記第２方向に移動して前記貫通孔から引き抜かれることで、前記搬送箱を解錠することを特徴とする請求項１に記載の搬送箱。
【請求項３】
搬送者に装着される安全保持部と、
一方の端部が前記取手部に接続され、他方の端部が前記安全保持部に接続されることで、前記取手部と前記安全保持部とを接続する接続部材とをさらに備えることを特徴とする請求項１または２に記載の搬送箱。
【請求項４】
前記取手取付部に前記取手部が収容されていない場合に、前記取手取付部に収容されることで、搬送者による前記搬送箱の搬送を不可能にする固定部材をさらに備えることを特徴とする請求項３に記載の搬送箱。
【請求項５】
前記取手部は、
前記突起部が接続されたラック部材と、
前記ラック部材に係合し、前記接続部材に接続された第２ピニオン部と、
前記第２ピニオン部と係合可能な第３ピニオン部と、
前記第３ピニオン部と係合する第２ラック機構が設けられ、搬送者が前記搬送箱を搬送する場合に把持する把持部と、をさらに備え、
前記取手部は、前記取手取付部に収容され、前記搬送箱が施錠された場合に、前記安全保持部から前記接続部材を引っ張られることにより前記第２ピニオン部が前記第３ピニオン部に係合し、搬送者により前記把持部が把持されることにより前記第２ラック機構が移動して前記第３ピニオン部が回転し、該回転に連動して回転した前記第２ピニオン部により、前記ラック部材が前記第１方向に移動して前記突起部が前記孔部に挿入されることで、前記蓋部に装着されることを特徴とする請求項４に記載の搬送箱。
【請求項６】
前記取手部は、
前記ラック部材を前記第２方向に押圧する弾性部材をさらに備え、
前記回転部は、ラチェット機構により、前記第３方向にのみ回転可能であり、
前記取手部は、前記安全保持部からの前記接続部材の引っ張りが解除されることにより前記第２ピニオン部が前記第３ピニオン部との係合を解除し、前記弾性部材からの押圧力により前記ラック部材が前記第２方向に移動して前記突起部が前記孔部から引き抜かれてから、前記取手取付部から取り出されることで、前記蓋部から取り外され、
前記可動部材は、利用者からの押圧力により前記回転部が前記第３方向に回転され、該回転に連動して前記第１ピニオン部が前記第３方向に回転した場合、前記第１ピニオン部に係合された前記第１ラック機構を介して前記第２方向に移動して前記貫通孔から引き抜かれることで、前記搬送箱を解錠することを特徴とする請求項５に記載の搬送箱。
【請求項７】
前記取手部は、前記蓋部に装着されている状態において前記接続部材が切断された場合、前記接続部材の引っ張りが解除されることにより前記第２ピニオン部が前記第３ピニオン部との係合を解除し、前記弾性部材からの押圧力により前記ラック部材が前記第２方向に移動して前記突起部が前記孔部から引き抜かれてから、前記取手取付部から取り出されることで、前記蓋部から取り外されることを特徴とする請求項６に記載の搬送箱。
【請求項８】
前記取手部は、
通電により前記第１方向に移動する前記突起部が設けられたプランジャー部をさらに備え、
前記取手部は、前記取手取付部に収容され、前記搬送箱が施錠された場合に、蓄電手段によって前記プランジャー部が通電されることにより前記突起部が前記第１方向に移動して前記孔部に挿入されることで、前記蓋部に装着されることを特徴とする請求項１に記載の搬送箱。
【請求項９】
前記取手部は、
通電により前記第１方向に移動する前記突起部が設けられたプランジャー部をさらに備え、
前記安全保持部は、
電力を蓄電し、前記接続部材を介して前記プランジャー部を通電する蓄電手段をさらに備え、
前記取手部は、前記取手取付部に収容され、前記搬送箱が施錠された場合に、前記安全保持部によって前記プランジャー部が通電されることにより前記突起部が前記第１方向に移動して前記孔部に挿入されることで、前記蓋部に装着されることを特徴とする請求項３に記載の搬送箱。
【請求項１０】
前記取手部は、
前記突起部を前記第２方向に押圧する弾性部材をさらに備え、
前記取手部は、前記安全保持部による通電が停止して前記プランジャー部が非通電にされ、前記弾性部材からの押圧力により前記突起部が前記第２方向に移動して前記孔部から引き抜かれてから、前記取手取付部から取り出されることで、前記蓋部から取り外され、
前記可動部材は、利用者認証が成功した場合に、駆動手段により前記回転部が前記第３方向に回転され、該回転に連動して前記第１ピニオン部が前記第３方向に回転した場合、前記第１ピニオン部に係合された前記第１ラック機構を介して前記第２方向に移動して前記貫通孔から引き抜かれることで、前記搬送箱を解錠することを特徴とする請求項９に記載の搬送箱。
【請求項１１】
前記ハンドル部は、前記蓋部に装着されている状態において前記接続部材が切断された場合、前記安全保持部による通電が停止して前記プランジャー部が非通電にされ、前記弾性部材からの押圧により前記突起部が前記第２方向に移動して前記孔部から引き抜かれてから、前記取手取付部から取り出されることで、前記蓋部から取り外されることを特徴とする請求項１０に記載の搬送箱。
【請求項１２】
前記取手部の前記蓋部に対する着脱動作、および前記搬送箱の施解錠動作におけるログを蓄積するログ蓄積手段をさらに備えたことを特徴とする請求項１１に記載の搬送箱。
【請求項１３】
開口部を有し、搬送物を収納可能な収納部と、前記収納部の前記開口部を閉じる蓋部と、前記蓋部に着脱可能に設けられる取手部とを備え、搬送物を収納して搬送する搬送箱において前記取手部を装着または取り外す取手着脱方法において、
前記蓋部に備えられた第１方向に移動可能な可動部材が、前記収納部に備えられた貫通孔に貫通することで、前記搬送箱を施錠する施錠工程と、
前記蓋部に備えられた取手取付部に収容され、前記搬送箱が施錠された場合に、前記取手部に備えられた突起部が、前記可動部材が前記第１方向に移動することにより前記蓋部の内部に形成される孔部に挿入されることで、前記取手部が前記蓋部に装着される装着工程と、
を含むことを特徴とする取手着脱方法。
【請求項１４】
前記突起部が前記孔部から引き抜かれてから、前記取手取付部から取り出されることで、前記取手部が前記蓋部から取り外される取り外し工程と、
第３方向にのみ回転可能な回転部が前記第３方向に回転され、該回転に連動して第１ピニオン部が前記第３方向に回転した場合、前記第１ピニオン部に係合されて前記可動部材に設けられた第１ラック機構を介して、前記可動部材が前記第１方向と反対方向である第２方向に移動して前記貫通孔から引き抜かれることで、前記搬送箱を解錠する解錠工程とをさらに含むことを特徴とする請求項１３に記載の取手着脱方法。
【発明の詳細な説明】
【技術分野】
【０００１】
本発明は、搬送される現金や貴重品などの搬送物を収納する搬送箱および取手着脱方法に関する。
【背景技術】
【０００２】
現金や貴重品などの搬送物を収納し、人為的に搬送可能な大きさで、かつ搬送用ハンドルを備えた搬送箱を搬送する場合、まず、発送者（依頼者）が搬送箱に搬送物を収納した後、搬送箱を施錠する。次に、その搬送箱を搬送者へ引渡すと、搬送者が搬送箱を搬送（警送）して受取人に引き渡す。そして、受取人が搬送箱を解錠して、収納されている搬送物を取り出すことになる。
【０００３】
このような搬送業務において、従来は、搬送箱の施解錠が可能な鍵などを利用して搬送箱を施錠し、搬送箱に装着されたハンドルを把持して搬送を行なっていた。しかし、このような鍵は搬送箱の施錠および解錠の両動作が行なえるため、搬送物が搬送先に到着するまでの間でも搬送箱の解錠が可能であり、発送者にとっては不正な解錠が行われるというリスクが存在していた。
【０００４】
そこで、輸送に関する一連の処理を一元管理する搬送管理方法が開示されている（例えば、特許文献１参照）。この特許文献１に記載の搬送管理方法では、貴重品箱（搬送箱）の搬送作業の着手、施錠、輸送車両に積載して運搬、貴重品箱を降ろす作業、解錠といった輸送作業に関する処理を、移動体通信網を介して接続された輸送管理サーバにより管理するものである。
【先行技術文献】
【特許文献】
【０００５】
【特許文献１】特許第４０８８６４２号
【発明の概要】
【発明が解決しようとする課題】
【０００６】
しかしながら、上記特許文献１の技術では、施錠信号の受信の有無によって搬送箱が施錠された否かを輸送管理サーバにおいて確認することが可能な構成となっているが、実際に施錠を失念し、施錠されていない搬送箱を運送車両などに搭載して搬送してしまうという危険性が残っていた。
【０００７】
本発明は、上記に鑑みてなされたものであって、搬送箱を施錠した後に、搬送者が搬送時に把持する取手部が装着可能な構成とすることで、搬送箱の施錠忘れを防止し、搬送物の搬送に関する危険性を軽減することを目的とする搬送箱および取手着脱方法を提供することを目的とする。
【課題を解決するための手段】
【０００８】
上述した課題を解決し、目的を達成するために、本発明は、搬送物を収納して搬送する搬送箱において、開口部を有し、搬送物を収納可能な収納部と、前記収納部の前記開口部を閉じる蓋部と、前記蓋部に着脱可能に設けられる取手部と、を備え、前記蓋部は、第１方向に移動可能な可動部材と、前記取手部が収容される取手取付部と、を備え、前記収納部は、前記第１方向に移動した前記可動部材が貫通する貫通孔を備え、前記取手部は、前記可動部材が前記第１方向に移動することにより前記蓋部の内部に形成される孔部に挿入される突起部と、を備え、前記可動部材は、前記貫通孔に貫通することで、前記搬送箱を施錠し、前記取手部は、前記取手取付部に収容され、前記搬送箱が施錠された場合に、前記突起部が前記孔部に挿入されることで、前記蓋部に装着されることを特徴とする。
【０００９】
また、本発明は、上面が開放され、開口部を有し、搬送物を収納可能な収納部と、前記収納部の前記開口部を閉じる蓋部と、前記蓋部に着脱可能に設けられる取手部とを備え、搬送物を収納して搬送する搬送箱において前記取手部を装着または取り外す取手着脱方法において、前記蓋部に備えられた第１方向に移動可能な可動部材が、前記収納部に備えられた貫通孔に貫通することで、前記搬送箱を施錠する施錠工程と、前記蓋部に備えられた取手取付部に収容され、前記搬送箱が施錠された場合に、前記取手部に備えられた突起部が、前記可動部材が前記第１方向に移動することにより前記蓋部の内部に形成される孔部に挿入されることで、前記取手部が前記蓋部に装着される装着工程と、を含むことを特徴とする。
【発明の効果】
【００１０】
本発明によれば、搬送箱の施錠忘れを防止し、搬送物の搬送に関する危険性を軽減するという効果を奏する。
【図面の簡単な説明】
【００１１】
【図１】図１は、実施の形態１にかかる搬送箱の構成を示す斜視図である。
【図２】図２は、図１の収納部におけるＡ−Ａ断面図である。
【図３】図３は、リジェクト付取手部の詳細を示す説明図である。
【図４】図４は、リジェクト付取手部の一部の拡大図である。
【図５】図５は、取手セキュリティ部の構成を示す図である。
【図６】図６は、蓋部の内部構成を示す図である。
【図７】図７は、解錠部の詳細を示す説明図である。
【図８】図８は、搬送箱が搬送車両に積み込まれている状態を示す図である。
【図９】図９は、固定部材の詳細を示す説明図である。
【図１０】図１０は、ハンドル部の構成を示す図である。
【図１１】図１１は、搬送箱を示す図である。
【図１２】図１２は、解錠部の詳細を示す説明図である。
【発明を実施するための形態】
【００１２】
以下に添付図面を参照して、この発明にかかる搬送箱および取手着脱方法の最良な実施の形態を詳細に説明する。本実施の形態の搬送箱は、現金や貴重品などを収納し、車等の搬送車両に載置して目的地まで搬送されるものである。
【００１３】
（実施の形態１）
図１は、実施の形態１にかかる搬送箱の構成を示す斜視図である。図１に示すように、搬送箱は、収納部２４と、蓋部２３と、ハンドル部６７と、解錠専用鍵６５（図７参照）とにより構成されている。
【００１４】
収納部２４は、上面に開口部を有し、搬送物を収納可能な箱である。図２は、図１の収納部におけるＡ−Ａ断面図である。図２に示すように、収納部２４における側面の底部には、鋭角に形成されたエッジ２５が設けられている。従って、収納部２４を底部から持って搬送箱を搬送しようとした場合、このエッジ２５が手に食い込み搬送箱を持つことが困難となっており、不正に搬送箱を搬送されることを防止している。なお、ここでは、収納部２４における側面の底部にエッジ２５を設けたが、底部を摺動すると赤インクが吐出するなどの構成としてもよい。
【００１５】
蓋部２３は、収納部２４の開放された上面の開口部を閉じて蓋をするものであり、解錠部１０と、表示部２０が設けられている。蓋部２３は、上面における中央部付近に、ハンドル部６７のリジェクト付取手部２１が収容される取付穴６８が形成されており、詳細は後述するが、搬送箱が施錠されている場合には、取付穴６８の側面に挿入孔２６が形成される。また、表示部２０は、搬送箱が施錠された場合に、その旨を示す封緘確認情報を表示する。例えば、搬送箱が施錠された場合は緑色が表示され、施錠されていない場合は赤色が表示される等である。また、解錠部１０は、搬送箱を解錠するものであり詳細は後述する。
【００１６】
ハンドル部６７は、蓋部２３の上面に形成された取付穴６８に収容され、蓋部２３に着脱可能に設けられるリジェクト付取手部２１と、搬送者のベルト１０１に装着される取手セキュリティ部２２と、リジェクト付取手部２１と取手セキュリティ部２２とを接続するセキュリティロープ１９とにより構成されている。本実施の形態では、取手セキュリティ部２２が搬送者のベルト１０１に装着されているが、これに限定されることなく、ベルト以外の衣服または身体に装着する構成としてもよい。
【００１７】
リジェクト付取手部２１は、搬送箱を搬送する際に取付穴６８に嵌入されて装着されるものである。図３は、リジェクト付取手部の詳細を示す説明図である。図４は、リジェクト付取手部の一部の拡大図である。図３、４に示すように、リジェクト付取手部２１は、取手外装１、板バネ２、および取手内装３とで構成される把持部１４と、ピニオンギア５と、可動型ピニオンギア６と、ラチェット部２７が接続されたリジェクト型ラック部７と、引き寄せバネ９と、ギアリリースバネ１３と、ギアリリースレバー１１（１１ａ、１１ｂ）と、ギアスライダー１２とを主に備えている。
【００１８】
把持部１４は、搬送者が搬送箱を搬送する際に把持する持ち手部分であり、取手外装１と取手内装３とが板バネ２を介して接続されており、取手外装１の溝に外れ防止ピン４が貫通している。また、把持部１４における取手内装３の側面には、ラック機構８が形成されており、ラック機構８はピニオンギア５と係合している。そして、搬送者が把持部１４を把持することにより、取手内装３が板バネ２の付勢力に対向してＡ方向に移動する。
【００１９】
ピニオンギア５は、ラック機構８に係合され、可動型ピニオンギア６の移動により可動型ピニオンギア６と係合され、または係合を解除される歯車である。ピニオンギア５は、搬送者等に把持部１４が把持された場合、取手内装３のＡ方向の移動に伴って、Ｂ方向に回転する。
【００２０】
可動型ピニオンギア６は、リジェクト型ラック部７に係合された歯車であり、図４に示すように、ギアスライダー１２を挟み、略円形状の端面の中心付近で、ギアリリースレバー１１（１１ａ、１１ｂ）に接続されている。このギアリリースレバー１１は、セキュリティロープ１９に接続されており（図５参照）、セキュリティロープ１９が引っ張られると、Ｅ方向に引っ張られることになり、その結果、可動型ピニオンギア６は、Ｆ方向（内側方向）に移動し、ピニオンギア５に係合する。また、可動型ピニオンギア６は、引き寄せバネ９およびギアリリースバネ１３によってもＦ方向に付勢されている。また、可動型ピニオンギア６は、ピニオンギア５に係合している場合に、ピニオンギア５のＢ方向の回転に伴って、Ｃ方向に回転する。
【００２１】
リジェクト型ラック部７は、外側の端部にラチェット部２７が接続されており、上面にラック機構が設けられ、可動型ピニオンギア６が係合している。そして、リジェクト型ラック部７は、可動型ピニオンギア６がピニオンギア５と係合している場合、可動型ピニオンギア６のＣ方向の回転に伴って、Ｄ方向（外側方向）に移動する。また、リジェクト型ラック部７は、可動型ピニオンギア６がピニオンギア５との係合を解除している場合、可動型ピニオンギア６のＦ方向の移動に伴って、Ｄ方向と反対方向（内側方向）に移動する。
【００２２】
取手セキュリティ部２２は、搬送者のベルト１０１に装着されるものであり、取手部への操作が可能となっている。図５は、取手セキュリティ部の構成を示す図である。図５に示すように、取手セキュリティ部２２は、ロープテンション２９と、リリース用ボタン１５を設けたロープロック部１６とを備えている。
【００２３】
ロープテンション２９は、リジェクト付取手部２１を蓋部２３に装着する場合に、搬送者によりＧ方向に押圧される（引っ張られる）部材である。このロープテンション２９がＧ方向に引っ張られると、セキュリティロープ１９がＨ方向に引っ張られて、セキュリティロープ１９の内部に設けられているロックリリースワイヤ１８に接続されたギアリリースレバー１１がＥ方向に引っ張られ、上述したように、可動型ピニオンギア６がピニオンギア５に係合する。
【００２４】
ロープロック部１６は、リジェクト付取手部２１を蓋部２３から取り外す場合に、下部に設けられたリリース用ボタン１５を搬送者により押下される部材である。ロープロック部１６は、通常バネ２８によりロープテンション２９側に付勢され、ロープテンション２９のＧ方向と反対方向への移動を阻止している。ロープロック部１６は、搬送者によりリリース用ボタン１５が押下されると、ロープテンション２９側への付勢に対向して移動し、ロープテンション２９の移動の阻止を解除する。従って、セキュリティロープ１９の引張が解除され、ロックリリースワイヤ１８に接続されたギアリリースレバー１１の引っ張りが解除され、可動型ピニオンギア６とピニオンギア５との係合が解除される。
【００２５】
セキュリティロープ１９は、内部にロックリリースワイヤ１８が設けられており、一方の端部がリジェクト付取手部２１のギアリリースレバー１１に接続され、他方の端部が取手セキュリティ部２２のロープテンション２９に接続されることで、リジェクト付取手部２１と取手セキュリティ部２２とを接続している。これにより、搬送箱を搬送者から引き離すことができず、搬送箱が奪われるのを阻止することができる。
【００２６】
また、図５に示すように、リジェクト付取手部２１側では、ロックリリースワイヤ１８がカットオフ機構３０により接続されており、さらにローラ１７を介してギアリリースレバー１１が接続されている。このカットオフ機構３０とは、セキュリティロープ１９が切断された場合に外れることで、ロックリリースワイヤ１８がギアリリースレバー１１から切り離される機構であり、再度ロックリリースワイヤ１８がギアリリースレバー１１と接続することができない構成となっている。
【００２７】
次に、蓋部２３について説明する。図６は、蓋部の内部構成を示す図である。図６に示すように、収納部２４の施錠固定部５０の上部には、ロックボルト５５が貫通するロックボルト貫通孔５１と、蓋閉じ完了ボス５２と、ハンドル取付検出レバー６０とが設けられている。また、蓋部２３には、ロックボルト５５と、蓋閉じ完了シャッター５４と、解錠部１０とが主に備えられている。
【００２８】
ロックボルト５５は、Ｉ方向、およびＩ方向と反対方向に移動可能なボルトであり、解錠部１０の近傍にラック機構５７が設けられている。また、ロックボルト貫通孔５１は、Ｉ方向に移動したロックボルト５５が貫通する孔部である。そして、ロックボルト５５がロックボルト貫通孔５１に貫通することで、搬送箱が施錠され、ロックボルト５５がロックボルト貫通孔５１から引き抜かれることで、搬送箱が解錠される。また、ロックボルト５５がＩ方向に移動することにより、蓋部２３の内部に挿入孔２６が形成され、この挿入孔２６には、蓋部２３にリジェクト付取手部２１が装着される際、リジェクト型ラック部７のラチェット部２７が挿入される。
【００２９】
蓋閉じ完了シャッター５４は、通常はバネ５６によりＪ方向に付勢されているが、蓋部２３により収納部２４の上面の開口部が閉じられ、ロックボルト５５がロックボルト貫通孔５１に貫通可能な位置にくるまで蓋部２３が押し込まれると、蓋閉じ完了ボス５２が蓋部２３の内部に挿入され、蓋閉じ完了シャッター５４を押し上げる。その押し上げにより、ロックボルト５５の溝にはめ込まれていた蓋閉じ完了シャッター５４のブレード部がロックボルト５５の溝から外されて、ロックボルト５５はＩ方向またはＩ方向と反対方向に移動可能となる。
【００３０】
また、ハンドル取付検出レバー６０は、バネ６１によりＫ方向に付勢されているが、リジェクト付取手部２１が取付穴６８に収容され、ラチェット部２７が挿入孔２６に挿入可能な位置まで押し込まれると、Ｋ方向と反対方向に押し下げられる。そして、ハンドル取付検出レバー６０の取手挿入完了ボス５３がロックボルト５５の溝から外されて、ロックボルト５５はＩ方向またはＩ方向と反対方向に移動可能となる。
【００３１】
解錠部１０は、搬送箱を解錠するものである。図７は、解錠部の詳細を示す説明図である。図７に示すように、解錠部１０は、鍵挿入部６２と、ラチェット付回転部６３と、鍵ピニオンギア６４とを備えている。
【００３２】
鍵挿入部６２は、搬送箱の受領者が所持する解錠専用鍵６５が挿入され、Ｌ方向に押圧して回転される。
【００３３】
ラチェット付回転部６３は、ラチェット機構によって作成されており、鍵挿入部６２のＬ方向の回転に連動してＬ方向に回転する。また、ラチェット付回転部６３は、Ｌ方向のみに回転可能となっている。
【００３４】
鍵ピニオンギア６４は、ロックボルト５５のラック機構５７に係合して設けられており、ラチェット付回転部６３のＬ方向の回転に連動してＬ方向に回転可能となっている。そして、鍵ピニオンギア６４がＬ方向に回転することにより、ラック機構５７を介してロックボルト５５がＩ方向と反対方向に移動し、搬送箱を解錠することができる。
【００３５】
なお、上述したように、搬送箱の施錠は、ロックボルト５５の移動のみで行なわれるが、この場合においては、ラチェット付回転部６３が空転動作を行ってロックボルト５５の移動は妨げない構成となっている。
【００３６】
次に、搬送箱を車等の搬送車両により搬送される場合について説明する。図８は、搬送箱が搬送車両に積み込まれている状態を示す図である。図８に示すように、搬送車両２０１は、内部に搬送箱を載置する搬送箱ラック２０２が設けられており、搬送車両の天井付近には、フック２０６が固定されている。このフック２０６には、ロープ２０８を介して固定部材２０７が接続されている。
【００３７】
ここで、固定部材２０７について説明する。図９は、固定部材の詳細を示す説明図である。図９に示すように、固定部材２０７は、ロック開放ボタン２１２と、ラチェット部２１１が設けられており、ロープ２０８に接続されている。固定部材２０７は、搬送箱を搬送車両で搬送する際に、搬送者が搬送箱の取付穴６８からハンドル部６７のリジェクト付取手部２１を取り外し、その取付穴６８に収容される。固定部材２０７は、ラチェット部２１１が、挿入孔２６（図６参照）に挿入されることで取付穴６８に嵌入されて装着され、ロック開放ボタン２１２が押下されると挿入孔２６からラチェット部２１１が抜き出され、取付穴６８から取り外すことができる。
【００３８】
この固定部材２０７には把持が可能な取手部分が設けられていないため、固定部材２０７を取付穴６８に収容した場合、搬送箱を持ち上げられず、搬送箱を搬送することができない。従って、搬送車両に載置された搬送箱を持ち去られる危険性を回避することができる。
【００３９】
次に、搬送箱を利用した搬送物の搬送作業の流れを説明する。まず、搬送箱は、解錠状態で保管されている。搬送者（搬送箱の搬送を実行する者）は、警備管理者（警備作業の管理を行なう者）よりハンドル部６７を受け取る。なお、ハンドル部６７は、警備管理者により運用管理されている。
【００４０】
送出者（搬送物を送る者）は、搬送物を搬送箱に収納し、搬送者とともに収納内容を確認して搬送箱の収納部２４を蓋部２３により閉じ、搬送者がハンドル部６７のリジェクト付取手部２１を搬送箱に装着することにより、同時に搬送箱が施錠される。そして、搬送者は、リジェクト付取手部２１とセキュリティロープ１９を介して接続された取手セキュリティ部２２を自分のベルトに装着する。
【００４１】
そして、搬送者は、手搬送作業により搬送箱を搬送車両まで搬送し、搬送車両に積み込む。搬送者は、搬送箱の所定場所へ積み込み、搬送箱から、ハンドル部６７のリジェクト付取手部２１を取り外し、固定部材２０７を装着する。そして、搬送車両によって搬送箱を搬送物受領先の目的地まで搬送する。
【００４２】
目的地に到着した場合、搬送者は、搬送箱から固定部材２０７を取り外し、ハンドル部６７のリジェクト付取手部２１を装着する。そして、搬送者は、搬送車両から搬送箱を取り出して、受領者（搬送物の受け取る者）に引き渡してハンドル部６７のリジェクト付取手部２１を取り外す。受領者は、解錠専用鍵６５により搬送箱を解錠して開封し、収納された搬送物を取り出す。最後に、搬送者は、ハンドル部６７を警備管理者に返却して搬送作業が終了する。
【００４３】
次に、搬送作業の一部の流れを説明する。まず、搬送物を収納した後において、搬送箱を施錠し、ハンドル部６７のリジェクト付取手部２１を装着する動作を説明する。
【００４４】
まず、収納部２４の上面の開口部を蓋部２３により閉じられ、ロックボルト５５が施錠固定部５０のロックボルト貫通孔５１に貫通可能な位置にくるまで蓋部２３が押し込まれると、蓋閉じ完了ボス５２が蓋部２３内に挿入され、蓋閉じ完了シャッター５４をＪ方向と反対方向に押し上げる。そして、蓋閉じ完了シャッター５４は、ロックボルト５５に設けられた溝にはめ込まれるブレード部がロックボルト５５の溝から外され、ロックボルト５５はＩ方向またはＩ方向と反対方向の移動が可能になる。この機構によると、蓋部２３が不完全な状態で閉じられた場合には、施錠ができない構成となる。
【００４５】
そして、取付穴６８に収容されてない状態のハンドル部６７とリジェクト付取手部２１は、リジェクト型ラック部７のラチェット部２７がギアリリースバネ１３および引き寄せバネ９によりリジェクト付取手部２１の内部に引き込まれているため、取付穴６８に収容することができる。従って、リジェクト付取手部２１が取付穴６８に収容されて、リジェクト型ラック部７のラチェット部２７が挿入孔２６に挿入可能な位置まで押し込まれると、ハンドル取付検出レバー６０がバネ６１の付勢力に対向してＫ方向と反対方向に押圧される。そうすると、取手挿入完了ボス５３もＫ方向と反対方向に押圧され、ロックボルト５５に設けられた溝から外される。
【００４６】
以上により、ロックボルト５５を固定している機構が外され、左側に移動した場合、ロックボルト貫通孔５１にロックボルト５５が貫通し、蓋部２３は収納部２４に固定されて搬送箱は施錠状態となる。そして、搬送箱が施錠状態になったことで、蓋部２３の内部に挿入孔２６が形成される。
【００４７】
そして、ハンドル部のリジェクト付取手部２１が取付穴６８に収容された状態で、搬送者により、取手セキュリティ部２２のロープテンション２９を引っ張られることにより、ロックリリースワイヤ１８が引っ張られ、ロックリリースワイヤ１８に接続されたギアリリースレバー１１により可動型ピニオンギア６がピニオンギア５に係合する。
【００４８】
次に、取手内装３と取手外装１を含む把持部１４を搬送者が把持すると、取手内装３に設けられたラック機構８がＡ方向に移動して、該移動によりラック機構８に係合しているピニオンギア５がＢ方向に回転する。さらに、ピニオンギア５のＢ方向の回転により、ピニオンギア５に係合している可動型ピニオンギア６がＣ方向に回転して、可動型ピニオンギア６に係合しているリジェクト型ラック部７がＤ方向に移動する。リジェクト型ラック部７がＤ方向に移動すると、リジェクト型ラック部７の端部に接続されたラチェット部２７が、リジェクト付取手部２１の外側に移動され、挿入孔２６に挿入される。
【００４９】
挿入孔２６に、リジェクト型ラック部７のラチェット部２７が挿入されると、リジェクト付取手部２１は蓋部２３における取付穴６８に嵌入されて装着されて、把持部１４を把持して搬送箱を持ち上げて搬送することが可能となる。また、この後に、取手セキュリティ部２２からの操作によりリジェクト付取手部２１の脱着は可能であり、その際にはロックボルト５５は移動されないため搬送箱は施錠状態のまま維持できる。
【００５０】
次に、目的地に到着した場合に、ハンドル部６７のリジェクト付取手部２１を取り外し、搬送箱を解錠する動作を説明する。
【００５１】
搬送箱が目的地まで搬送され、搬送者により取手セキュリティ部２２のリリース用ボタン１５が押下されると、ロープロック部１６のつめ部がロープテンション２９から外れて、ロープテンション２９の引っ張りが解除される。そうすると、ロックリリースワイヤ１８の引っ張りも解除され、ロックリリースワイヤ１８に接続されたギアリリースレバー１１のＥ方向の引っ張りも解除され、可動型ピニオンギア６とピニオンギア５との係合が解除される。
【００５２】
そして、リジェクト型ラック部７がギアリリースバネ１３および引き寄せバネ９からの押圧力によりＤ方向と反対方向（内側方向）に移動すると、ラチェット部２７が挿入孔２６から引き抜かれてリジェクト付取手部２１の内部に引き込まれる。そして、リジェクト付取手部２１は、取付穴６８から取り出されることで、蓋部２３から取り外される。
【００５３】
そして、搬送箱の受領者により解錠専用鍵６５が解錠部１０に挿入されてＬ方向に回転されると、鍵挿入部６２およびラチェット付回転部６３がＬ方向に回転され、該回転に連動して鍵ピニオンギア６４がＬ方向に回転する。この鍵ピニオンギア６４のＬ方向の回転により、ラック機構５７がＩ方向と反対方向に移動させられることでロックボルト５５がＩ方向と反対方向に移動する。そして、取手挿入完了ボス５３と蓋閉じ完了ボス５２がロックボルト５５に設けられた２つの溝に嵌合するところまでロックボルト５５が移動すると、取手挿入完了ボス５３と蓋閉じ完了ボス２４がそれぞれ溝に嵌まりこむ。そして、ロックボルト貫通孔５１からロックボルト５５が引き抜かれると、搬送箱が解錠状態にされ、蓋部２３の開放が可能となる。
【００５４】
次に、セキュリティロープ１９が切断された場合について説明する。セキュリティロープ１９が切断された場合、リリース用ボタン１５が押下された場合におけるリジェクト付取手部２１の取り外しと同様に、ロックリリースワイヤ１８に接続されていたギアリリースレバー１１のＥ方向の引っ張りが解除され、可動型ピニオンギア６とピニオンギア５との係合が解除される。そして、リジェクト型ラック部７がギアリリースバネ１３および引き寄せバネ９からの押圧力によりＤ方向と反対方向に移動すると、ラチェット部２７が挿入孔２６から引き抜かれてリジェクト付取手部２１の内部に引き込まれる。そして、リジェクト付取手部２１は、取付穴６８から取り出されることで、蓋部２３から取り外される。これにより、搬送箱を搬送することができなくなる。
【００５５】
また、セキュリティロープ１９が切断された場合では、カットオフ機構３０によって接続されたロックリリースワイヤ１８とギアリリースレバー１１から切り離されるため、再度ロックリリースワイヤ１８がギアリリースレバー１１と接続することができない。従って、ギアリリースレバー１１は、ラチェット部２７をリジェクト付取手部２１の外部に移動させることができなくなり、リジェクト付取手部２１が蓋部２３に装着不可能となり、搬送箱を搬送できなくなる。
【００５６】
以上のように、本実施の形態の搬送箱は、搬送箱が解錠された後に、蓋部２３にリジェクト付取手部２１が装着される構成となっているため、搬送箱の施錠忘れを防止し、搬送物の搬送に関する危険性を軽減する。また、搬送箱の施錠は、蓋部２３を閉めれば行えるが、搬送箱の解錠は、搬送箱の受領者が保持する解錠専用鍵６５のみでしか行えないため、搬送中の搬送箱の解錠を防止し、搬送物の搬送に関する危険性を軽減する。また、予め定めた受領者のみが解錠専用鍵６５を保有することで、解錠許可者を限定することが可能となる。
【００５７】
また、搬送箱の搬送中において、搬送箱を施錠状態に維持したまま、搬送者に装着された取手セキュリティ部２２と接続されたリジェクト付取手部２１を取り外すことができる。また、強奪など発生時の安全機能として、取手セキュリティ部２２とリジェクト付取手部２１を接続するセキュリティロープ１９が切断された場合に、蓋部２３からリジェクト付取手部２１が強制的に外れて、搬送箱の搬送を困難にすることができる。また、取付穴６８は、リジェクト付取手部２１の代わりに固定部材２０７も装着することができる。そして、この固定部材２０７は、リジェクト付取手部２１と接続された端部と反対の端部を搬送車両に固定したり、収納品を仮保管時などでは建物に固定することでできる。従って、搬送箱が持ち出されることを防止することができる。また、固定部材２０７と固定先を結ぶロープ２０８が切断されても、リジェクト付取手部２１とは異なり、固定部材２０７は取り外せないため、不正なリジェクト付取手部２１の取り付けを阻止することができる。
【００５８】
（実施の形態２）
実施の形態１では、ラック機構やピニオンギア、解錠専用鍵などを利用して、機械的にリジェクト付取手部の着脱、搬送箱の解錠を行っていた。これに対し、本実施の形態では、電気的にリジェクト付取手部２１の着脱、搬送箱の解錠を行うものである。
【００５９】
図１０は、ハンドル部の構成を示す図である。図１１は、搬送箱を示す図である。図１０、１１に示すように、本実施の形態の搬送箱は、収納部２４と、蓋部１２３と、ハンドル部１６７と、解錠カード７７と、認証カード７８とにより構成されている。ここで、収納部２４の構成は実施の形態１と同様であるため、説明を省略する。
【００６０】
蓋部１２３は、収納部２４の開放された上面の開口部を閉じて蓋をするものであり、解錠部１１０と、表示部（不図示）が設けられている。蓋部１２３は、上面における中央部付近に、ハンドル部１６７の取手部７９が収容される取付穴６８が形成されており、搬送箱が解錠されている場合には、取付穴６８の側面に挿入孔２６（不図示）が形成される。表示部は、実施の形態１と同様に、搬送箱が施錠された場合に、その旨を示す封緘確認情報を表示する。また、蓋部１２３は、認証カード７８（詳細は後述）が設けられている。また、解錠部１１０は、搬送箱を解錠するものであり詳細は後述する。ここで、蓋部１２３には、実施の形態と同様に、ラック機構５７が形成されたロックボルト５５と、バネ５６に押圧されている蓋閉じ完了シャッター５４が備えられているが説明は省略する。
【００６１】
ハンドル部１６７は、蓋部１２３の上面に形成された取付穴６８に着脱可能に設けられる取手部７９と、搬送者のベルトに装着される取手セキュリティ部７０と、取手部７９と取手セキュリティ部７０とを接続するセキュリティロープ７２とにより構成されている。
【００６２】
取手セキュリティ部７０は、搬送者のベルトに装着されるものであり、取手部７９への操作および電力供給が可能となっている。取手セキュリティ部７０は、リリース用ボタン１１５と、蓄電部７１とを主に備えている。
【００６３】
リリース用ボタン１１５は、搬送者によって押下されることにより、搬送箱に対する設定モードを切り換えるものであり、選択された設定モードはセキュリティロープ７２を介して取手部７９に送出される。設定モードとしては、装着モードと取り外しモードがある。装着モードとは、取手部７９が蓋部１２３に装着される旨を示すモードである。また、取り外しモードとは、取手部７９が蓋部１２３から取り外される旨を示すモードである。
【００６４】
蓄電部７１は、電力を蓄電するものであり、セキュリティロープ７２を介して取手部７９に電力を送出し、プランジャー部７５（後述）を通電、非通電にする。
【００６５】
セキュリティロープ７２は、内部に電力や設定情報を伝送するワイヤーが設けられており、一方の端部が取手部７９に接続され、他方の端部が取手セキュリティ部７０に接続されることで、取手部７９と取手セキュリティ部７０とを接続している。これにより、搬送箱を搬送者から引き離すことができず、搬送箱が奪われるのを阻止することができる。
【００６６】
取手部７９は、搬送箱を搬送する際に取付穴６８に嵌入されて装着されるものであり、電力送出部７４と、受信部７３と、プランジャー部７５と、ログ蓄積部８０と、コネクタ８１とから主に構成されている。
【００６７】
電力送出部７４は、取手セキュリティ部７０から、蓄電部７１に蓄電されている電力が送出された場合に、送出された電力を授受する。そして、電力送出部７４は、近傍に配された解錠カード７７や認証カード７８などのカード、機器に必要な電力供給を行なうものである。
【００６８】
受信部７３は、近傍に配された解錠カード７７、認証カード７８から発信された情報を受信するものである。
【００６９】
プランジャー部７５は、取手部７９を着脱するための突起部２２７が設けられている。この突起部２２７は、取手セキュリティ部７０から電力が送出されて通電されることにより、Ｍ方向に移動して、ロックボルトがＩ方向に移動することにより蓋部１２３の内部に形成される孔部（図６参照）に挿入される。また、突起部２２７は、取手セキュリティ部７０から電力の送出が停止されて非通電にされた場合、バネ（不図示）によりＭ方向と反対方向に移動する。
【００７０】
ログ蓄積部８０は、取手部７９の蓋部１２３に対する着脱動作、および搬送箱の施解錠動作におけるログを蓄積するものである。コネクタ８１は、ログ蓄積部８０に蓄積されたログを他の装置に送信するためのインターフェースである。
【００７１】
ここで、認証カード７８、解錠カード７７の説明をする。認証カード７８、解錠カード７７は、ＲＦＩＤ（Radio Frequency IDentification）や磁気を利用して電子認証を行うカードである。なお、認証カードや解錠カードを、予め登録された指紋確認装置など生体認証手段を用いて認証する構成としてもよい。
【００７２】
蓋部１２３に設けられた認証カード７８は、蓋部１２３に固有の蓋部ＩＤが記憶されている。そして、電力送出部７４から電力が供給されると、自らの蓋部ＩＤを含む微弱電波を発信する。そして、取手部７９では、受信部７３によりこの微弱電波を受信し、予め登録されている蓋部ＩＤか否かの認証を行なう。取手部７９では、蓋部ＩＤの一致が確認され、かつ取手セキュリティ部７０から「装着モード」が選択されている場合には、内蔵のプランジャー部７５の作動を許可させ、蓋部１２３への取付け可能な状態となる。
【００７３】
解錠カード７７は、解錠可能な利用者（搬送物の受領者）に固有の解錠ＩＤが記憶されている。そして、該解錠ＩＤが受信部７３により受信され、認証が成功した場合に、搬送箱が解錠されることになる。
【００７４】
次に、解錠部１１０について説明する。図１２は、解錠部の詳細を示す説明図である。図１２に示すように、解錠部１１０は、モータ７６と、回転部１６３と、ピニオンギア１６４とを備えている。
【００７５】
モータ７６は、搬送箱を解錠する場合に、Ｎ方向のみに回転可能な駆動手段である。また、回転部１６３は、モータ７６のＮ方向の回転に連動して、Ｎ方向のみに回転可能となっている。また、モータ７６は、取手部７９と取付穴６８との間で駆動が必要な場合に、受電部１６５により非接触（またはブラシなどの接触）で受電可能な構成となっており、取手部７９が取付穴６８に嵌入されて固定されている状態において、解錠カード７７を取手部７９の受信部７３にかざすと通電が開始される。
【００７６】
ピニオンギア１６４は、ロックボルト５５のラック機構５７（図６参照）に係合して設けられており、回転部１６３のＮ方向の回転に連動してＮ方向に回転可能となっている。そして、ピニオンギア１６４がＮ方向に回転することにより、ラック機構５７を介してロックボルト５５がＩ方向と反対方向に移動し、搬送箱が解錠される。
【００７７】
本実施の形態の搬送作業は、機械的な実施の形態１の搬送作業を電気的に行う点では異なるが、搬送箱を利用した搬送物の搬送作業の流れは同様であるため説明を省略する。
【００７８】
次に、搬送作業の一部の流れを説明する。まず、搬送物を収納した後において、搬送箱を施錠し、ハンドル部１６７の取手部７９を装着する動作を説明する。ここで、搬送箱の施錠については、実施の形態１と同様であるため説明を省略する。
【００７９】
搬送箱が施錠され、ハンドル部１６７の取手部７９を取付穴６８に収容された状態で、搬送者により取手セキュリティ部７０のリリース用ボタン１１５が押下されて「装着モード」に切り替えられると、取手セキュリティ部７０の蓄電部７１からの電力の供給によりプランジャー部７５が通電される。
【００８０】
プランジャー部７５が通電されると、突起部２２７がＭ方向（取手部７９の外側方向）に移動され、挿入孔２６（図６参照）に挿入される。挿入孔２６に、突起部２２７が挿入されると、取手部７９は蓋部における取付穴６８に嵌入されて装着されて、搬送箱は把持部１１４を把持して搬送箱を持ち上げて搬送することが可能となる。
【００８１】
次に、目的地に到着した場合に、ハンドル部１６７の取手部７９を取り外し、搬送箱を解錠する動作を説明する。
【００８２】
搬送箱が目的地まで搬送され、搬送者により取手セキュリティ部７０のリリース用ボタン１１５が押下されると、「装着モード」から「取り外しモード」に切り替わり、プランジャー部７５への通電が停止され突起部２２７がＭ方向と反対方向（取手部７９の内部方向）に移動して挿入孔２６から引き抜かれて、リジェクト付取手部２１の内部に引き込まれる。
【００８３】
そして、近傍に配された解錠カード７７に電力送出部７４から電力給電がなされ、受信部７３により解錠カード７７の記憶する解錠ＩＤを受信する。解錠カード７７の解錠ＩＤが取手部７９内のＩＤ情報解読部（不図示）において解読されて、認証が成功すると、搬送箱の解除動作を行なう。つまり、上記認証の成功により、蓋部１２３に設けられたロックボルト５５の移動動作を行なうモータ７６などが作動可能となる。
【００８４】
具体的には、突起部２２７が取手部７９内に引き込まれている状態において、蓋部１２３のモータ７６がＮ方向に回転し、該回転に連動して回転部１６３、ピニオンギア１６４がＮ方向に回転することにより、ラック機構５７がＩ方向と反対方向に移動させられることで、ロックボルト５５がＩ方向と反対方向に移動する。そして、取手挿入完了ボス５３と蓋閉じ完了ボス５２がロックボルト５５に設けられた２つの溝に嵌合するところまでロックボルト５５が移動すると、取手挿入完了ボス５３と蓋閉じ完了ボス５２がそれぞれ溝に嵌まりこむ。そして、取手部７９は、取付穴６８から取り出されることで、蓋部１２３から取り外される。さらに、ロックボルト貫通孔５１からロックボルト５５が引き抜かれると、搬送箱が解錠状態にされ、蓋部２３の開放が可能となる。以上構成により、解錠カード７７などをかざすことにより、モータ７６によるロックボルト５５の移動動作を起動し、取手部７９の取り外しと解錠動作を完了させる動作を行う。
【００８５】
次に、セキュリティロープ７２が切断された場合について説明する。セキュリティロープ７２が切断された場合、リリース用ボタン１１５が押下された場合における取手部７９の取り外しと同様に、プランジャー部７５への通電が停止され突起部２２７がＭ方向と反対方向（取手部７９の内部方向）に移動して挿入孔２６から引き抜かれて、リジェクト付取手部２１の内部に引き込まれる。そして、取手部７９は、取付穴６８から取り出されることで、蓋部１２３から取り外される。これにより、搬送箱を搬送することができなくなる。
【００８６】
ここで、セキュリティロープ７２内の通電手段は特定の周波数による交流電力伝送を行なっているため、直流電池など単純な電力供給では、プランジャー部７５単体での「装着モード」への切換えは容易に行なえない構成とし、切断後の取手部７９の活用を抑止可能な構成とする。
【００８７】
以上構成により、取手部７９の蓋部１２３に対する着脱動作、および搬送箱の施解錠動作は、ログ蓄積部８０に操作・動作時刻と共に蓄積される。蓄積されたログは、コネクタ８１からＰＣなどに接続して、読み出しを行なうことができる。このログには、動作内容、日時が対応した表として出力が可能で、搬送箱の搬送時の作業エビデンスとして、顧客などへの提出を可能としている。
【００８８】
以上のように、本実施の形態の搬送箱は、搬送箱が解錠された後に、蓋部１２３に取手部７９が装着される構成となっているため、搬送箱の施錠忘れを防止し、搬送物の搬送に関する危険性を軽減する。また、搬送箱の施錠は、蓋部１２３を閉めれば行えるが、搬送箱の解錠は、搬送箱の受領者が保持する解錠カード７７のみでしか行えないため、搬送中の搬送箱の解錠を防止し、搬送物の搬送に関する危険性を軽減する。また、予め定めた受領者のみが解錠カード７７を保有することで、解錠許可者を限定することが可能となる。
【００８９】
また、搬送箱の搬送中において、搬送箱を施錠状態に維持したまま、搬送者に装着された取手セキュリティ部７０と接続された取手部７９を取り外すことができる。また、強奪など発生時の安全機能として、取手セキュリティ部７０と取手部７９を接続するセキュリティロープ７２が切断された場合に、蓋部１２３から取手部７９が強制的に外れて、搬送箱の搬送を困難にすることができる。
【００９０】
また、実施の形態２では、ハンドル部１６７の取手セキュリティ部７０に電力を蓄電する蓄電部７１を備え、セキュリティロープ７２を介して取手部７９に電力を送出する構成としているため、収納部２４、蓋部１２３側に蓄電部を備える必要がない。従って、ハンドル部１６７を取り外した搬送箱を保管する場合でも、電池の交換等を行う必要がない。
【００９１】
なお、以上のような構成に限定されることはない。例えば、搬送者が用いるハンドル部それぞれに固有の識別情報を保持させ、搬送箱を特定のハンドル部のみ装着可能な構成としてもよい。これにより、装着および搬送許可された指定のハンドル部のみを搬送箱に装着できるため、搬送者を限定することができ、偽装搬送者による搬送を防止することができる。
【００９２】
また、解錠専用鍵（または解錠カード）に固有の識別情報を保持させ、搬送箱において解錠専用鍵の識別情報の認証が成功した場合、搬送箱を解錠可能な構成としてもよい。これにより、特定の解錠専用鍵のみでしか搬送箱の解錠が行なえないため、搬送箱の受領者を指定でき、不正解錠を防止することができる。
【００９３】
また、上記実施の形態では、収納部の上面に開口部が設けられ、該開口部から搬送物を収納するように構成された搬送箱を説明したが、これに限定されることはなく、収納部の側面や底面などに開口部を設けた収納部により搬送箱を構成してもよく、その場合でも本実施の形態と同様の効果を奏する。
【符号の説明】
【００９４】
１  取手外装
２  板バネ
３  取手内装
４  外れ防止ピン
５  ピニオンギア
６  可動型ピニオンギア
７  リジェクト型ラック部
８  ラック機構
９  引き寄せバネ
１０、１１０  解錠部
１１  ギアリリースレバー
１２  ギアスライダー
１３  ギアリリースバネ
１４、１１４  把持部
１５、１１５  リリース用ボタン
１６  ロープロック部
１７  ローラ
１８  ロックリリースワイヤ
１９  セキュリティロープ
２０  表示部
２１  リジェクト付取手部
２２  取手セキュリティ部
２３、１２３  蓋部
２４  収納部
２５  エッジ
２６  挿入孔
２７  ラチェット部
２８  バネ
２９  ロープテンション
３０  カットオフ機構
５０  施錠固定部
５１  ロックボルト貫通孔
５２  蓋閉じ完了ボス
５３  取手挿入完了ボス
５４  蓋閉じ完了シャッター
５５  ロックボルト
５６  バネ
５７  ラック機構
６０  ハンドル取付検出レバー
６１  バネ
６２  鍵挿入部
６３  ラチェット付回転部
６４  鍵ピニオンギア
６５  解錠専用鍵
６７、１６７  ハンドル部
６８  取付穴
７０  取手セキュリティ部
７１  蓄電部
７２  セキュリティロープ
７３  受信部
７４  電力送出部
７５  プランジャー部
７６  モータ
７７  解錠カード
７８  認証カード
７９  取手部
８０  ログ蓄積部
８１  コネクタ
１０１  ベルト
１６３  回転部
１６４  ピニオンギア
１６５  受電部
２０１  搬送車両
２０２  搬送箱ラック
２０６  フック
２０７  固定部材
２０８  ロープ
２１１  ラチェット部
２２７  突起部
【図１】
2010236336.tif 000003
【図２】
2010236336.tif 000004
【図３】
2010236336.tif 000005
【図４】
2010236336.tif 000006
【図５】
2010236336.tif 000007
【図６】
2010236336.tif 000008
【図７】
2010236336.tif 000009
【図８】
2010236336.tif 000010
【図９】
2010236336.tif 000011
【図１０】
2010236336.tif 000012
【図１１】
2010236336.tif 000013
【図１２】
2010236336.tif 000014